(57)【要約】【課題】火災報知設備において、監視状態が途切れずに、旧設備を新設備に入れ替える場合、新設備用の設置スペースを新たに確保する必要がなく、また、予算的に厳しくない伝送変換中継器を提供することを目的とするものである。【解決手段】第１火災受信機に接続されている端末機器に付与されているアドレスのうちで最終アドレスを検出する最終アドレス検出手段と、上記検出された最終アドレスと、上記第１火災受信機が伝送変換中継器にポーリングする主ポーリングに同期した副ポーリングのパターンとが対応している伝送パターン表を記憶しているパターン表記憶手段と、上記伝送パターン表に基づいて、グループ毎の副ポーリングの開始タイミングを検出する副ポーリングの開始タイミング検出手段と、主ポーリングの該当アドレスの呼出に呼応して、所定の情報を送出する情報送出手段とを有する伝送変換中継器。【選択図】図１
2008102787.tif 000002
【特許請求の範囲】
【請求項１】
複数の第１端末機器と、第１火災受信機とが伝送線を介して接続され、上記第１端末機器のそれぞれにアドレスを割り付け、上記第１火災受信機側から、そのアドレスに基づいて、上記第１端末機器を順次呼び出し、呼び出された上記第１端末機器だけが、当該第１端末機器に関する個別情報を上記第１火災受信機へ送信するサイクリックポーリング方式が用いられている火災報知設備に使用する伝送変換中継器であって、
上記伝送変換中継器は、上記第１火災受信機が上記伝送線を介して１次側に接続され、また、上記複数の第１端末機器の一部に代わって設けられる複数の第２端末機器が枝線を介して２次側に接続されるものであって、
上記伝送変換中継器は、
上記第２端末機器を複数のグループに分け、グループ毎に副ポーリングし、複数のグループのうちの所定のグループへの副ポーリング信号発信に基づいて、そのグループに属する第２端末機器からの情報を時分割で受信するポーリングセレクティング方式を実現するポーリングセレクティング方式実現手段と；
上記サイクリックポーリング方式によって、上記第１火災受信機が呼び出す主ポーリングにおいて、呼び出されたアドレスの上記第２端末機器に関する個別情報を送信する送信手段と；
を有し、端末機器を部分的に変更する分割リニューアルをしながら、リニューアル部分も、上記第１火災受信機が監視することを特徴とする伝送変換中継器。
【請求項２】
請求項１において、
上記第１火災受信機側から任意の第２端末機器が呼び出される直前に、当該第２端末機器が属するグループへ副ポーリング発信し、個別情報を受信することを特徴とする伝送変換中継器。
【請求項３】
請求項１において、
上記第１端末機器は、旧端末機器であり、上記第１火災受信機は、旧火災受信機であり、上記第２端末機器は、新端末機器であることを特徴とする伝送変換中継器。
【請求項４】
複数の第１端末機器と、第１火災受信機とが伝送線を介して接続され、上記第１端末機器のそれぞれにアドレスを割り付け、上記第１火災受信機側から、そのアドレスに基づいて、上記第１端末機器を順次呼び出し、呼び出された上記第１端末機器だけが、当該第１端末機器に関する個別情報を上記第１火災受信機へ送信するサイクリックポーリング方式が用いられている火災報知設備に使用する伝送変換中継器であって、
上記伝送変換中継器は、上記第１火災受信機が上記伝送線を介して１次側に接続され、また、上記複数の第１端末機器の一部に代わって設けられる複数の第２端末機器が枝線を介して２次側に接続されるものであって、
上記伝送変換中継器は、
上記第２端末機器を複数のグループに分け、グループ毎に副ポーリングし、複数のグループのうちの所定のグループへの副ポーリング信号発信に基づいて、そのグループに属する上記第２端末機器からの情報を時分割で受信するポーリングセレクティング方式を実現するポーリングセレクティング方式実現手段と；
上記第１火災受信機に接続されている端末機器に付与されているアドレスのうちで最終アドレスを検出する最終アドレス検出手段と；
上記検出された最終アドレスと、上記第１火災受信機が上記伝送変換中継器に上記サイクリックポーリング方式によってポーリングする主ポーリングに同期した副ポーリングのパターンとが対応している伝送パターン表を記憶しているパターン表記憶手段と；
上記伝送パターン表に基づいて、主ポーリングの呼出アドレスから、グループ毎の副ポーリングの開始タイミングを検出する副ポーリングの開始タイミング検出手段と；
上記開始タイミング検出手段が、上記グループ毎の副ポーリングの開始タイミングを検出したときに、上記ポーリングセレクティング方式実現手段によって、該当するグループに副ポーリングし、該当するグループに属する第２端末機器からの情報を時分割で受信する情報受信手段と；
主ポーリングの該当アドレスの呼び出しに呼応して、該当アドレスの上記第２端末機器に関する個別情報を送出する情報送出手段と；
を有することを特徴とする伝送変換中継器。
【発明の詳細な説明】
【技術分野】
【０００１】
本発明は、旧火災報知設備を新火災報知設備にリニューアルする場合、設備全体の一部分のみが新設備に置き換わった場合に、新設備部分においても火災監視することができる火災報知設備に関する。
【背景技術】
【０００２】
火災感知器等の複数の端末機器が火災受信機に接続される場合、各端末機器に異なるアドレスを割り付け、火災受信機から、そのアドレスに基づいて端末機器を個別に順次呼び出し、呼び出された端末機器だけが、その端末機器に関する個別情報（火災信号等）を火災受信機へ送信するポーリング方式（サイクリックポーリング方式）が知られている（たとえば、特許文献１参照）。
【０００３】
図９は、従来のサイクリックポーリング方式の例を示すタイムチャートである。
【０００４】
この従来例は、火災受信機と所定の端末機器とが交信し、その端末機器が火災受信機に信号送出するときに、端末機器のアドレスと所定データとを火災受信機に信号送出する火災報知設備であり、通常、火災受信機が順次循環的にアドレスを個別に指定し、この指定されたアドレスに対応する端末機器の状態情報をその端末機器が返送することによって、火災監視を行う。
【０００５】
図９において、横線の上に、火災受信機が送出する信号を示し、横線の下に、該当する端末機器（火災感知器、発信機等）が送出する信号を示してある。
【０００６】
このサイクリックポーリング方式は、多数の端末機器を、火災受信機が順次個別に呼び出して各端末機器から火災発生等の情報を収集できる方式である。このサイクリックポーリング方式において、各端末機器は、呼び出しを受けるまで、火災受信機に自己の情報を送信することができない。この呼び出しを受ける周期は、伝送線に接続されている端末機器数の増加に応じて長くなる。
【０００７】
呼び出しを受ける周期を短くするには、伝送線上の複数の端末機器を複数のグループに分け、火災受信機がグループ毎にポーリングし、複数のグループのうちの所定のグループへポーリングしたときに、当該グループに属する複数の端末機器からの情報を時分割で連続的に受信し、必要に応じて、特定の端末機器に状態情報返送命令等の制御命令を送信するポーリングセレクティング方式の動作を行う（たとえば、特許文献２参照）。
【０００８】
つまり、上記サイクリックポーリング方式は、旧設備に用いられ、また、ポーリングセレクティング方式は、新設備に用いられている。
【特許文献１】特開平８−２７３０８２号公報
【特許文献２】特開２００２−１７５５７２号公報
【発明の開示】
【発明が解決しようとする課題】
【０００９】
火災報知設備は耐用年数が限られ、定期的に設備変更する必要があり、また、旧設備と新設備との入れ替え時に、監視状態が途切れることがないようにしている。
【００１０】
したがって、従来は、旧設備を稼動させつつ、新設備のリニューアル設置工事を行っている。
【００１１】
しかし、このようにすると、新設備用の設置スペースを新たに確保する必要があるという問題があり、また、段階的に新設備に変更する分割工事ができないので予算化が困難であるという問題がある。
【００１２】
本発明は、火災報知設備において、旧設備を段階的に新設備に変更していく分割リニューアル工事を行うことができ、監視状態が途切れずに、旧設備を新設備に入れ替える場合、新設備用の設置スペースを新たに確保する必要がなく、また、予算的に厳しくない伝送変換中継器を提供することを目的とするものである。
【００１３】
また、本発明は、旧設備を部分的に新設備に変更する場合、端末機器と火災受信機との間における情報伝達のタイムロスを防止することができる伝送変換中継器を提供することを目的とする。
【課題を解決するための手段】
【００１４】
本発明は、複数の第１端末機器と、第１火災受信機とが伝送線を介して接続され、上記第１端末機器のそれぞれにアドレスを割り付け、上記第１火災受信機側から、そのアドレスに基づいて、上記第１端末機器を順次呼び出し、呼び出された上記第１端末機器だけが、当該第１端末機器に関する個別情報を上記第１火災受信機へ送信するサイクリックポーリング方式が用いられている火災報知設備に使用する伝送変換中継器であって、上記伝送変換中継器は、上記第１火災受信機が上記伝送線を介して１次側に接続され、また、上記複数の第１端末機器の一部に代わって設けられる複数の第２端末機器が枝線を介して２次側に接続されるものであって、上記伝送変換中継器は、上記第２端末機器を複数のグループに分け、グループ毎に副ポーリングし、複数のグループのうちの所定のグループへの副ポーリング信号発信に基づいて、そのグループに属する第２端末機器からの情報を時分割で受信するポーリングセレクティング方式を実現するポーリングセレクティング方式実現手段と、上記サイクリックポーリング方式によって、上記第１火災受信機が呼び出す主ポーリングにおいて、呼び出されたアドレスの上記第２端末機器に関する個別情報を送信する送信手段とを有し、端末機器を部分的に変更する分割リニューアルをしながら、リニューアル部分も、上記第１火災受信機が監視することを特徴とする伝送変換中継器である。
【発明の効果】
【００１５】
本発明によれば、火災報知設備において、旧設備を段階的に新設備に変更していく分割リニューアル工事を行うことができ、監視状態が途切れずに、旧設備と新設備とを入れ替える場合、新設備用の設置スペースを新たに確保する必要がなく、また、予算的に厳しくないという効果を奏する。
【発明を実施するための最良の形態】
【００１６】
発明を実施するための最良の形態は、以下の実施例である。
【実施例１】
【００１７】
図１は、本発明の実施例１である伝送変換中継器１０を含む火災報知設備１００を示すブロック図である。
【００１８】
火災報知設備１００は、火災受信機ＲＥ１と、伝送変換中継器１０と、１階用端末群ＳＥ１０と、２階用端末群ＳＥ２０とを有する。
【００１９】
火災報知設備１００は、複数の旧端末機器（第１端末機器）と、旧火災受信機（第１火災受信機）ＲＥ１とが伝送線Ｌ１を介して接続され、旧端末機器のそれぞれに異なるアドレスを割り付け、旧火災受信機ＲＥ１側から、そのアドレスに基づいて、上記旧端末機器を個別に順次呼び出し、呼び出された旧端末機器だけが、当該旧端末機器に関する個別情報を旧火災受信機ＲＥ１へ送信するサイクリックポーリング方式が用いられている火災報知設備である。
【００２０】
図１において、端末群の例として、１階用端末群ＳＥ１０と、２階用端末群ＳＥ２０とを代表して記載してあるが、他の端末群を設けるようにしてもよい。また、図１に示す例は、１階〜ｎ階の建物に設けられている火災報知設備を分割してリニューアルする場合に、現在、２階用の端末群のみを、新設備用の端末群ＳＥ２０に変更した段階である。１階用および３階用端末群以降については、まだ、旧設備用の端末が設けられている。
【００２１】
つまり、図１は、旧端末機器（例えば、１階用端末群ＳＥ１０）と旧火災受信機ＲＥ１とが伝送線Ｌ１を介して接続され、サイクリックポーリング方式の信号伝送が用いられている旧火災報知設備において、旧端末機器を段階的に新端末機器に変更する分割リニューアル工事の途中段階を示す図であり、２階用端末群において、旧端末機器に代わって新端末機器（２階用端末群ＳＥ２０）が設けられていることを示す図である。
【００２２】
新端末機器ＳＥ２０は、枝線Ｌ２を介して、伝送変換中継器１０の２次側に接続され、また、伝送変換中継器１０の１次側には、伝送線Ｌ１を介して、旧火災受信機ＲＥ１が接続されている。つまり、上記の通り、旧設備は、サイクリックポーリング方式が用いられ、新設備は、ポーリングセレクティング方式が用いられている。このために、新端末機器ＳＥ２０は、旧火災受信機ＲＥ１との間で信号伝送を行うことができない。そこで、伝送変換中継器１０は、新設備で用いられるポーリングセレクティング方式によって、新端末機器ＳＥ２０との間で信号伝送を行い、また、旧設備で用いられるサイクリックポーリング方式によって、旧火災受信機ＲＥ１との間で信号伝送を行う。これによって、旧火災受信機ＲＥ１が、新端末機器ＳＥ２０の情報を収集することができる。
【００２３】
特に、旧端末機器に代わって設けられる新端末機器（例えば、２階用端末群ＳＥ２０の端末機器ＳＥ２１、ＳＥ２２、ＳＥ２３）は、取り外された旧端末機器に付与されていたアドレスが個別に付与され、つまり、この火災報知設備１００において、旧端末機器と新端末機器とのアドレスは、それぞれ異なるように個別に設定されているので、旧火災受信機ＲＥは、サイクリックポーリング方式によって、旧端末機器および伝送変換中継器１０と信号伝送を行うことによって、旧端末機器と新端末機器との個別情報を収集することができる。
【００２４】
なお、各階の旧端末機器を新端末機器へ変更する作業が完了した後に、旧火災受信機ＲＥ１を新火災受信機に変更し、伝送変換中継器１０を取り外し、その１次側の伝送線Ｌ１と２次側の枝線Ｌ２とを結線することによって、分割リニューアル工事が完了し、旧設備を新設備にリニューアルすることができる。つまり、新火災受信機と新端末機器とが、ポーリングセレクティング方式によって信号伝送を行うことによって、新火災受信機が新端末機器の個別情報を収集することができる。
【００２５】
なお、端末群に、発信機が含まれていてもよい。
【００２６】
図２は、伝送変換中継器１０の構成を示すブロック図である。
【００２７】
伝送変換中継器１０は、ＣＰＵ１１と、火災受信機ＲＥ１からの信号を受信する受信回路１２と、端末群へ信号を送信する送信回路１３と、端末群からの信号を受信する受信回路１４と、火災受信機ＲＥ１へ信号を送信する送信回路１５とを有する。また、伝送変換中継器１０は、伝送用定電圧回路１６と、電源監視回路１７と、制御回路用定電圧回路１８と、２次側定電圧回路１９と、ＲＯＭ２１と、ＲＡＭ２２とを有する。さらに、受信回路１２と、送信回路１３と、受信回路１４と、送信回路１５と、電源監視回路１７とのそれぞれと、ＣＰＵ１１との間に、それぞれ、フォトカプラ等を用いた絶縁回路１２ｉ、１３ｉ、１４ｉ、１５ｉ、１７ｉを有する。
【００２８】
ＣＰＵ１１は、伝送変換中継器１０の全体を制御する。ＲＯＭ２１には、図３、図５、図６に示すフローチャートに対応するプログラムが格納されている。
【００２９】
伝送用定電圧回路１６は、電源兼信号線である伝送線Ｌ１から電源供給されて、伝送変換中継器１０の１次側（伝送線Ｌ１側）に設けられる回路、つまり、受信回路１２、送信回路１５に定電圧を供給する。制御回路用定電圧回路１８と２次側定電圧回路１９とは、２次側電源線Ｌ３（図１参照）から電源供給される。
【００３０】
そして、制御回路用定電圧回路１８は、ＣＰＵ１１に定電圧を供給する。２次側定電圧回路１９は、伝送変換中継器１０の２次側（枝線Ｌ２側）に設けられる回路（つまり、電源監視回路１７、送信回路１３、受信回路１４）に定電圧を供給し、また、電源兼信号線である枝線Ｌ２側（２階用端末群ＳＥ２０）に電源供給し、枝線Ｌ２の信号伝送を良好に行えるようにしている。
【００３１】
このように、伝送変換中継器１０は、その１次側と２次側とが絶縁回路１２ｉ、１３ｉ、１４ｉ、１５ｉ、１７ｉでアイソレーションされ、かつ、伝送線Ｌ１とは異なる２次側電源線Ｌ３を介して、旧火災受信機ＲＥ１と接続され、当該伝送変換中継器１０と枝線Ｌ２側とに電源供給されるので、伝送変換中継器１０を設けても、その伝送能力に支障が生じず、問題なく信号伝送することができる。
【００３２】
次に、上記実施例の動作について説明する。
【００３３】
図３は、伝送変換中継器１０の動作の概要を示すフローチャートである。
【００３４】
まず、Ｓ１０で、火災受信機ＲＥ１からのポーリング信号（主ポーリング信号）の受信に基づいて、端末機器の最終アドレスＡＤｚを認識する。
【００３５】
図４は、実施例１において使用する伝送パターン表Ｔ１を示す図である。
【００３６】
Ｓ２０で、図４に示す伝送パターン表Ｔ１を参照し、最終アドレスＡＤｚに基づいて、主ポーリングに同期した副ポーリング（端末へのポーリング）のパターンを選択する。
【００３７】
Ｓ３０で、上記選択した副ポーリングパターンをＲＡＭ２２に記憶する。具体的には、主ポーリング信号の呼出アドレスＡＤの受信時に、副ポーリング信号を発信するグループＧ（クラスタ）を、対応して記憶する。たとえば、図４に示す伝送パターン表Ｔ１において、最終アドレスＡＤｚが２００である場合、主ポーリング信号の呼出アドレスＡＤ１８９の受信時に、副ポーリング信号発信するグループＧ０（クラスタ０）を対応して記憶し、主ポーリング信号の呼出アドレスＡＤ５の受信時に、副ポーリング信号発信するグループＧ１（クラスタ１）を対応して記憶し、主ポーリング信号の呼出アドレスＡＤ２１の受信時に、副ポーリング信号発信するグループＧ２（クラスタ２）を対応して記憶し、…、主ポーリング信号の呼出アドレスＡＤ１７８の受信時に、副ポーリング信号発信するグループＧ１２（クラスタ１２）を対応して記憶する。そして、これに基づいて、Ｓ４０で、主ポーリング・副ポーリング動作を行う。
【００３８】
主ポーリング信号の呼出アドレスＡＤの受信時に、副ポーリング信号を発信するグループＧ（クラスタ）を対応して記憶することによって、後述するように、伝送変換中継器１０は、主ポーリングの呼出アドレスＡＤから、グループＧ毎の副ポーリングの開始タイミングを検出し、該当するグループＧの副ポーリングを行うことができる。
【００３９】
つまり、旧火災受信機ＲＥ１から任意の新端末機器ＳＥ２１〜２３のアドレスＡＤが呼び出される直前に、このアドレスＡＤの新端末機器ＳＥ２１〜２３が属するグループＧへ副ポーリング発信し、このアドレスＡＤの新端末機器ＳＥ２１〜２３の個別情報を受信し、直後に行われる、主ポーリングにおけるこのアドレスＡＤの新端末機器ＳＥ２１〜２３への呼び出しに呼応して、その個別情報を送出する。
【００４０】
このように、新端末機器ＳＥ２０の最新の個別情報を、旧火災受信機ＲＥ１に送出できるように、主ポーリングと副ポーリングとを同期させるので、新端末機器ＳＥ２０と旧火災受信機ＲＥ１との間における情報伝達のタイムロスを防止することができる。
【００４１】
なお、上記「主ポーリング」は、火災受信機ＲＥ１が伝送線Ｌ１上の伝送変換中継器１０と旧端末機器とに行うポーリングである。上記「副ポーリング」は、伝送変換中継器１０が、２階用端末群ＳＥ２０等の枝線Ｌ２上の端末群に行うポーリングである。
【００４２】
次に、火災受信機ＲＥ１に接続されている端末機器の最終アドレスＡＤｚを認識する動作（Ｓ１０）について説明する。
【００４３】
図５は、火災受信機ＲＥ１に接続されている端末機器の最終アドレスＡＤｚを認識する動作（Ｓ１０）をより具体的に示すフローチャートである。
【００４４】
なお、伝送変換中継器１０が、主ポーリングと副ポーリングとを同期して行えるようにするために、端末機器の最終アドレスＡＤｚを認識する。
【００４５】
まず、Ｓ１１で、最終アドレスの変数ＡＤｚを０に初期化する。そして、Ｓ１２で、主ポーリング信号（火災受信機ＲＥ１からのポーリング信号）を、伝送変換中継器１０が受信したかどうかを判断する。主ポーリング信号を受信していなければ、待機する。主ポーリング信号を受信すれば、Ｓ１３で、この受信した主ポーリング信号のアドレスＡＤが、最終アドレスＡＤｚよりも小さいかどうかを判断する。アドレスＡＤが最終アドレスＡＤｚよりも大きければ、Ｓ１４で、上記受信した主ポーリング信号のアドレスＡＤを最終アドレスＡＤｚとしてＲＡＭ２２に記憶し、Ｓ１２へ戻り、最終アドレスＡＤｚの検出を繰り返す。
【００４６】
そして、Ｓ１３でアドレスＡＤが最終アドレスＡＤｚよりも小さいと判断すれば、全アドレスＡＤに対して主ポーリング動作が行われ、最初のアドレスＡＤに主ポーリング動作が再び行われたことを意味するので、Ｓ１５で、最終アドレスＡＤｚを、ＲＡＭ２２に記憶し、最終アドレスＡＤｚの認識を終了する。
【００４７】
次に、上記実施例における主ポーリング・副ポーリング動作（Ｓ４０）について説明する。
【００４８】
図６は、上記実施例における主ポーリング・副ポーリング動作（Ｓ４０）をより具体的に示すフローチャートである。
【００４９】
まず、Ｓ４１で、主ポーリング信号を受信したかどうかを判断し、受信していなければ、この受信判断動作を繰り返す。Ｓ４１で主ポーリング信号を受信したと判断すれば、Ｓ４２で、受信した主ポーリング信号で呼び出されたアドレスＡＤの状態情報が、ＲＡＭ２２に記憶されているかどうかを判断する。呼出アドレスＡＤについて記憶されていれば、Ｓ４３で、主ポーリングに対応して、アドレスＡＤの状態情報を返送する。呼出アドレスＡＤについて記憶されていなければ、主ポーリングに対応して、アドレスＡＤの状態情報を返送する動作を実行しない。
【００５０】
つまり、伝送変換中継器１０は、伝送変換中継器１０の２次側伝送線（枝線）Ｌ２に接続されている端末機器（新端末機器ＳＥ２０）に、後述するＳ４４〜Ｓ４６において、副ポーリング動作を実施することによって、その新端末機器ＳＥ２０の状態情報（個別情報）を受信することができ、この受信した状態情報を、ＲＡＭ２２に記憶する。また、受信した状態情報以外の端末機器ＳＥ２０の状態情報を持ち合わせてはいない。したがって、伝送変換中継器１０自身の２次側伝送線（枝線）Ｌ２に接続されている端末機器（新端末機器ＳＥ２０）に関する状態情報のみを返送する。
【００５１】
次に、Ｓ４４で、主ポーリング信号の呼出アドレスＡＤは、副ポーリングの実施タイミングであるかどうかを判断する。つまり、Ｓ３０においてＲＡＭ２２に格納した主ポーリングのアドレスＡＤと副ポーリングのグループＧとの対応パターンにおける主ポーリングのアドレスＡＤに該当するかどうかを判断する。
【００５２】
対応パターンにおける主ポーリングのアドレスＡＤに該当すれば、副ポーリングの実施タイミングであると判断し、Ｓ４５で、該当するグループＧの副ポーリングを実施し、副ポーリングした端末機器の状態情報を、ＲＡＭ２２に記憶し、ステップＳ４１に戻る。そして、Ｓ４１〜Ｓ４６の動作を繰り返す。
【００５３】
また、上記対応パターンにおける主ポーリングのアドレスＡＤに該当するかどうかを判断し、該当しないと判断した場合、副ポーリングの実施タイミングでないと判断し（Ｓ４４）、ステップＳ４１に戻り、Ｓ４１〜Ｓ４６の動作を繰り返す。
【００５４】
なお、上記フローチャートにおいて、主ポーリング動作（Ｓ４１〜Ｓ４３）と、副ポーリング動作（Ｓ４４〜Ｓ４６）とは、フローチャートの説明上、時間的に分断して示してある。
【００５５】
図７は、上記実施例において使用するポーリング同期例を示す図である。
【００５６】
実際には、図７に示すポーリング同期例のタイミングチャートの通り、主ポーリング動作と副ポーリング動作とを、ＣＰＵ１１が並行して実行する。
【００５７】
図４に示すパターン表Ｔ１は、伝送変換中継器１０と新端末との間における伝送タイミングを示す。このタイミングは、旧火災受信機と伝送変換中継器１０との間における通信で、どのアドレスがポーリングを受けているときに、伝送変換中継器１０がどのグループＧの副ポーリングすべきであるかを規定するタイミングである。
【００５８】
伝送パターンに従うことによって、旧火災受信機からの主ポーリングに対して、最短のタイミングで、新端末から情報を伝送変換中継器１０が収集し、旧火災受信機ＲＥ１に送出することができる。
【００５９】
このことについて、図７のポーリング同期例に基づいて説明する。主ポーリングは、端末機器を個々に呼び出し、その個別情報を受信するサイクリックポーリング方式である。一方、副ポーリングは、端末機器を複数のグループＧに分け、グループＧ毎に副ポーリングし、複数のグループＧのうちの所定のグループＧへの副ポーリング信号の発信に基づいて、そのグループＧに属する複数の端末機器からの個別情報を時分割で連続的に受信するポーリングセレクティング方式である。
【００６０】
ここで、主ポーリングと副ポーリングとは、ポーリング方式が異なり、さらに、各端末毎に個別情報を収集する場合における伝送スピードが異なるので、主ポーリングと副ポーリングとを非同期で行うと（主ポーリングと副ポーリングとを互いに関連付けずに動作させると）、伝送変換中継器１０を仲介して、新端末機器ＳＥ２０から出力された個別情報が、旧火災受信機ＲＥ１に通知されるまでの時間が、一定ではなく、非常に遅れる場合もあり、システムの応答性において問題である。
【００６１】
ここで、最大遅れ時間は、主ポーリングの１サイクル分であり、つまり、「最大遅れ時間＝アドレス数×２０ｍ秒間（１アドレス当りの信号伝送必要時間）」であり、図７では、「最大遅れ時間＝２００アドレス×２０ｍ秒間＝４秒間」である。
【００６２】
したがって、最終アドレスＡＤｚを認識し、伝送パターン表Ｔ１によって、主ポーリング信号の呼出アドレスＡＤの受信時に、副ポーリング信号を発信するグループＧ（クラスタ）を対応して記憶し、伝送変換中継器１０は、主ポーリングの呼出アドレスＡＤから、グループＧ毎の副ポーリングの開始タイミングを検出し、該当するグループＧの副ポーリングを行う。
【００６３】
つまり、旧火災受信機ＲＥ１から任意の新端末機器ＳＥ２１〜２３のアドレスＡＤが呼び出される直前に、このアドレスＡＤの新端末機器ＳＥ２１〜２３が属するグループＧへ副ポーリング発信し、このアドレスＡＤの新端末機器ＳＥ２１〜２３の個別情報を受信し、直後に行われる、このアドレスＡＤの新端末機器ＳＥ２１〜２３への主ポーリングでの呼び出しに呼応して、その個別情報を送出する。
【００６４】
たとえば、図７の最終アドレスＡＤｚが２００である場合、一例として、主ポーリング信号の呼出アドレスＡＤ５の受信時に、アドレスＡＤ１７〜ＡＤ３２のグループＧ１（クラスタ１）に対して、副ポーリングを行うことによって、その直後に行われるアドレスＡＤ１７（およびそのグループＧ１のアドレスＡＤ１８〜３２）の主ポーリングに対して、該当するアドレスＡＤの新端末機器ＳＥ２０の個別情報を送出し、この個別情報を旧火災受信機ＲＥ１が受信できる。
【００６５】
このポーリング同期については、図示の通り、上記のグループＧ１（クラスタ１）のみならず、全てのグループＧ０〜Ｇ１２について同様に行われる。
【００６６】
このように、新端末機器ＳＥ２０の最新の個別情報を旧火災受信機ＲＥ１に送出できるように、主ポーリングと副ポーリングとを同期して行うので、新端末機器ＳＥ２０と旧火災受信機ＲＥ１との間における情報伝達のタイムロスを防止することができる。
【００６７】
図８は、実施例におけるポーリングセレクティング（副ポーリング）の動作を説明するタイムチャートである。
【００６８】
図８に示す「ポイント・ポーリング」は、「グループ情報収集フレーム」と「発信機検出フレーム」とで構成されている。
【００６９】
「グループ情報収集フレーム」は、各端末装置（端末機器）を１つ１つ順次ポーリングするのではなく、たとえば２０８台の端末装置を、１６台の端末装置を１つのグループとして、たとえば１３個のグループにグループ化し、その各グループ毎に、火災受信機ＲＥ１が呼び出すフレームである。呼び出されたグループに属する各端末装置は、各端末装置毎に割り当てられた応答タイミング時に、状態情報または種別情報ＩＤ等の要求されたデータを順次、火災受信機ＲＥ１に返送する。
【００７０】
つまり、副ポーリングは、１６台の端末装置（端末機器）を１つのグループとし、端末機器の総数に合わせてグループ数を設定し、各グループ毎にポーリングを行う。このために、図７に示す例では、端末機器の最終アドレスが２００アドレスであるが、副ポーリングにおける最終グループＧ１２（クラスタ１２）は、２０８アドレスまでである。
【００７１】
上記「状態情報」は、端末装置がアナログ式火災感知器である場合、検出した火災現象の物理量データであり、端末装置が中継器ＲＰである場合は、オンオフ式火災感知器やガス漏れ検出器が接続されているときに、火災信号やガス漏れ信号の有無を示すデータであり、防火戸Ｄや地区ベル等の被制御機器が接続されているときに、これらの機器の開閉状態や動作中かどうかを示すデータであり、鳴動中かどうかを示すデータであり、端末装置が発信機である場合、押しボタンスイッチが押されて作動中かどうかを示すデータである。
【００７２】
上記実施例によれば、旧設備を段階的に新設備に変更する分割リニューアル工事を行うことができ、監視状態が途切れずに、旧設備を新設備に入れ替える場合、新設備用の設置スペースを新たに確保する必要がなく、また、予算的に厳しくない。また、上記実施例によれば、旧設備を部分的に新設備に変更する場合、端末機器と火災受信機との間における情報伝達のタイムロスを防止することができる。
【００７３】
上記実施例において、伝送変換中継器１０は、主ポーリングと副ポーリングとを互いに同期させるが、主ポーリングと副ポーリングとを非同期で行うこともできる。主ポーリングと副ポーリングとを非同期で行うと、伝送変換中継器１０を仲介して、新端末機器ＳＥ２０から出力された個別情報が、旧火災受信機ＲＥ１に通知されるまでの時間が、一定ではなくなるが、ＣＰＵ１１の処理が容易である。
【００７４】
上記実施例は、複数の第１端末機器と、第１火災受信機とが伝送線を介して接続され、上記第１端末機器のそれぞれにアドレスを割り付け、上記第１火災受信機側から、そのアドレスに基づいて、上記第１端末機器を順次呼び出し、呼び出された上記第１端末機器だけが、当該第１端末機器に関する個別情報を上記第１火災受信機へ送信するサイクリックポーリング方式が用いられている火災報知設備に使用する伝送変換中継器であって、上記伝送変換中継器は、上記第１火災受信機が上記伝送線を介して１次側に接続され、また、上記複数の第１端末機器の一部に代わって設けられる複数の第２端末機器が枝線を介して２次側に接続されるものであって、上記伝送変換中継器は、上記第２端末機器を複数のグループに分け、グループ毎に副ポーリングし、複数のグループのうちの所定のグループへの副ポーリング信号発信に基づいて、そのグループに属する第２端末機器からの情報を時分割で受信するポーリングセレクティング方式を実現するポーリングセレクティング方式実現手段と、上記サイクリックポーリング方式によって、上記第１火災受信機が呼び出す主ポーリングにおいて、呼び出されたアドレスの上記第２端末機器に関する個別情報を送信する送信手段とを有し、端末機器を部分的に変更する分割リニューアルをしながら、リニューアル部分も、上記第１火災受信機が監視することを特徴とする伝送変換中継器であるので、旧設備を段階的に新設備に変更する分割リニューアル工事を行うことができ、監視状態が途切れずに、旧設備を新設備に入れ替える場合、親設備用の設置スペースを新たに確保する必要がなく、また、予算的に厳しくない。
【００７５】
また、上記実施例は、上記第１火災受信機側から任意の第２端末機器が呼び出される直前に、当該第２端末機器が属するグループへ副ポーリング発信し、個別情報を受信することを特徴とする伝送変換中継器であるので、旧設備を部分的に新設備に変更する場合、端末機器と火災受信機との間における情報伝達のタイムロスを防止することができる。
【００７６】
また、上記実施例は、上記第１端末機器は、旧端末機器であり、上記第１火災受信機は、旧火災受信機であり、上記第２端末機器は、新端末機器であることを特徴とする伝送変換中継器である。
【００７７】
上記実施例は、複数の第１端末機器と、第１火災受信機とが伝送線を介して接続され、上記第１端末機器のそれぞれにアドレスを割り付け、上記第１火災受信機側から、そのアドレスに基づいて、上記第１端末機器を順次呼び出し、呼び出された上記第１端末機器だけが、当該第１端末機器に関する個別情報を上記第１火災受信機へ送信するサイクリックポーリング方式が用いられている火災報知設備に使用する伝送変換中継器であって、上記伝送変換中継器は、上記第１火災受信機が上記伝送線を介して１次側に接続され、また、上記複数の第１端末機器の一部に代わって設けられる複数の第２端末機器が枝線を介して２次側に接続されるものであって、上記伝送変換中継器は、上記第２端末機器を複数のグループに分け、グループ毎に副ポーリングし、複数のグループのうちの所定のグループへの副ポーリング信号発信に基づいて、そのグループに属する上記第２端末機器からの情報を時分割で受信するポーリングセレクティング方式を実現するポーリングセレクティング方式実現手段と、上記第１火災受信機に接続されている端末機器に付与されているアドレスのうちで最終アドレスを検出する最終アドレス検出手段と、上記検出された最終アドレスと、上記第１火災受信機が上記伝送変換中継器に上記サイクリックポーリング方式によってポーリングする主ポーリングに同期した副ポーリングのパターンとが対応している伝送パターン表を記憶しているパターン表記憶手段と、上記伝送パターン表に基づいて、主ポーリングの呼出アドレスから、グループ毎の副ポーリングの開始タイミングを検出する副ポーリングの開始タイミング検出手段と、上記開始タイミング検出手段が、上記グループ毎の副ポーリングの開始タイミングを検出したときに、上記ポーリングセレクティング方式実現手段によって、該当するグループに副ポーリングし、該当するグループに属する第２端末機器からの情報を時分割で受信する情報受信手段と、主ポーリングの該当アドレスの呼び出しに呼応して、該当アドレスの上記第２端末機器に関する個別情報を送出する情報送出手段とを有することを特徴とする伝送変換中継器であるので、旧設備を段階的に新設備に変更していく分割リニューアル工事を行うことができ、監視状態が途切れずに、旧設備を新設備に入れ替える場合、親設備用の設置スペースを新たに確保する必要がなく、また、予算的に厳しくない。また、端末機器と火災受信機との間における情報伝達のタイムロスを防止することができる。なお、端末機器の最終アドレスを検出する方式として、主ポーリング信号の受信に基づいて行う方式は、最終アドレスを記憶部に手動で書き込む方式と比較して、リニューアル物件に合わせて最終アドレスを書き込む等の煩雑さがない。
【図面の簡単な説明】
【００７８】
【図１】本発明の実施例１である伝送変換中継器１０を含む火災報知設備１００を示すブロック図である。
【図２】伝送変換中継器１０の構成を示すブロック図である。
【図３】伝送変換中継器１０の動作の概要を示すフローチャートである。
【図４】実施例１において使用する伝送パターン表Ｔ１を示す図である。
【図５】火災受信機ＲＥ１に接続されている端末機器の最終アドレスＡＤｚを認識する動作（Ｓ１０）をより具体的に示すフローチャートである。
【図６】上記実施例における主ポーリング・副ポーリング動作（Ｓ４０）をより具体的に示すフローチャートである。
【図７】図７は、上記実施例において使用するポーリング同期例を示す図である。
【図８】図８は、実施例におけるポーリングセレクティングの動作を説明するタイムチャートである。
【図９】従来のサイクリックポーリング方式の例を示すタイムチャートである。
【符号の説明】
【００７９】
１００…火災報知設備、
１０…伝送変換中継器、
１１…ＣＰＵ、
１２…受信回路、
１３…送信回路、
１４…受信回路、
１５…送信回路、
２１…ＲＯＭ、
２２…ＲＡＭ、
ＳＥ１０…１階用端末群、
ＳＥ２０…２階用端末群。
【図１】
2008102787.tif 000003
【図２】
2008102787.tif 000004
【図３】
2008102787.tif 000005
【図４】
2008102787.tif 000006
【図５】
2008102787.tif 000007
【図６】
2008102787.tif 000008
【図７】
2008102787.tif 000009
【図８】
2008102787.tif 000010
【図９】
2008102787.tif 000011